(57)【要約】【課題】簡単な構成で対物レンズで結像された眼底像を観察、撮影できる眼科装置を提供する。【解決手段】対物レンズ４により結像された眼底像１ｂが、第２のレンズ１３を介して撮像装置１４の撮像面１４ａに結像される。ピント合わせ用の指標１７が第１のレンズ１２により投影されて指標像１７ａが形成される。第１のレンズと第２のレンズは、指標と撮像面が常に共役な関係となるように、連動して移動される。指標像１７ａが、対物レンズを介して結像される眼底像１ｂとほぼ一致するように、第１のレンズを移動させてピント合わせが行われ、この第１のレンズの移動に連動して移動する第２のレンズを介して眼底像が撮像される。検者は、眼底像１ｂと投影指標像１７ａを観察して眼底像のピント合わせを行うことができ、また、接眼レンズを使用することなく眼底像、指標像を観察できるので、接眼レンズの視度補正調整機構が不要になる。【選択図】図３
2010220654.tif 000002
【特許請求の範囲】
【請求項１】
別体の対物レンズを介して結像される被検眼眼底像を観察、撮影する眼科装置であって、
ピント合わせ用の指標が形成された指標板と、
前記指標板の指標を投影して指標像を形成する第１のレンズと、
前記眼底像を撮像する撮像装置と、
前記眼底像を撮像装置の撮像面に結像させる第２のレンズと、
前記指標と撮像面が第１と第２のレンズに関して共役な関係となるように、第１と第２のレンズを連動して移動させる移動機構と、を備え、
前記指標像が、対物レンズを介して結像される眼底像とほぼ一致するように、第１のレンズを移動させ、該第１のレンズの移動に連動して移動する第２のレンズを介して眼底像を撮像することを特徴とする眼科装置。
【請求項２】
別体の対物レンズを介して結像される被検眼眼底像を観察、撮影する眼科装置であって、
ピント合わせ用の指標が形成された指標板と、
前記指標板の指標を投影して指標像を形成する第１のレンズと、
前記眼底像を撮像する撮像装置と、
前記眼底像を撮像装置の撮像面に結像させる第２のレンズと、
前記指標と前記撮像面が第１と第２のレンズに関して同軸で共役な関係となるように、前記指標と前記撮像面を連動して移動させる移動機構と、を備え、
前記指標像が、対物レンズを介して結像される眼底像とほぼ一致するように、指標を移動させ、該指標の移動に連動して撮像面を移動し、眼底像を撮像することを特徴とする眼科装置。
【請求項３】
第１と第２のレンズの光軸は対物レンズの光軸とほぼ直交しており、第１と第２のレンズ間の光路に配置されたハーフミラーを介して眼底像が観察可能であることを特徴とする請求項１又は２に記載の眼科装置。
【請求項４】
前記指標像はハーフミラーの第１の反射面を介して観察され、眼底像はハーフミラーの第２の反射面を介して撮像装置に導かれることを特徴とする請求項３に記載の眼科装置。
【請求項５】
前記ハーフミラーは挿脱可能であり、ハーフミラーが第１と第２のレンズ間の光路に挿入されたとき、指標を照明する光源が点灯され、かつ／又は撮像装置が起動されることを特徴とする請求項１から４のいずれか１項に記載の眼科装置。
【請求項６】
眼底撮影時に指標を照明する光源を消灯することを特徴とする請求項１から５のいずれか１項に記載の眼科装置。
【発明の詳細な説明】
【技術分野】
【０００１】
本発明は、眼科装置、特に、別体の対物レンズを介して結像される被検眼眼底像を観察、撮影する眼科装置に関する。
【背景技術】
【０００２】
対物レンズ（倒像鏡レンズ）を用いて被検眼眼底の倒立空中像を形成し、この空中像を介して眼底を観察することは、眼科診療において基本的な検査の一つであり、眼科装置と組み合わせて広く一般的に行われている。
【０００３】
このような対物レンズを用いた眼底観察は、対物レンズを用いないで被検眼の眼底を正立像として観察する直像観察と比較して観察視野が広いため、眼底周辺部等の観察を容易とするが、倒立像の拡大率は小さく、鮮明な観察像（網膜像）を得たり、それを撮影するには、一定の技術の習熟が必要となる。
【０００４】
従来では、接眼チャートと接眼レンズを通して眼底像を観察し、接眼チャートの共役面に撮像媒体を配置して眼底像を撮影する構成が知られている（特許文献１、２）。
【０００５】
また、倒像レンズを眼科装置に対して一体化させる事により作業性の向上を図った手持ち式の眼科装置が提案されている（特許文献３）。
【先行技術文献】
【特許文献】
【０００６】
【特許文献１】特開平１１−８９７９８号公報
【特許文献２】特開昭５１−６９６２９号公報
【特許文献３】特開平１１−９５５３号公報
【発明の概要】
【発明が解決しようとする課題】
【０００７】
しかしながら、特許文献１、２に記載されたような構成では、接眼レンズを介して眼底像を観察するので、検者の眼底面と接眼チャートを共役な関係にするために、接眼レンズの視度補正調整機構が必要となり、検者は必ず視度補正した上で眼底像を観察してピント合わせをする必要があった。
【０００８】
また、特許文献３に記載された装置では、倒像レンズを含む観察光学系が眼科装置の筐体に一体的に固定されているため、例えば、照明光源に照射された被検眼の観察部位を変えようとする場合には、眼科装置毎移動させる必要があり（従来は照明光源等を移動）、手持ち式の倒像レンズを用いた眼底診察時の簡易性を損ねている。
【０００９】
また、眼科装置を操作する検者には眼底観察部位の倒立像は見えているのに、該眼底観察部位を撮影すると撮影後の画面には所望の眼底像が入っていなかったり、眼底像は写り込んでいても輪郭がぼやけていたり（所謂ピンボケ）、観察像の取得（撮影操作）には所定の習熟を必要としていた。
【００１０】
本発明は、上記問題点に鑑みてなされたものであり、簡単な構成で対物レンズで結像された眼底像を観察、撮影できる眼科装置を提供することを目的としている。
【課題を解決するための手段】
【００１１】
本発明は、
別体の対物レンズを介して結像される被検眼眼底像を観察、撮影する眼科装置であって、
ピント合わせ用の指標が形成された指標板と、
前記指標板の指標を投影して指標像を形成する第１のレンズと、
前記眼底像を撮像する撮像装置と、
前記眼底像を撮像装置の撮像面に結像させる第２のレンズと、
前記指標と撮像面が第１と第２のレンズに関して共役な関係となるように、第１と第２のレンズを連動して移動させる移動機構と、を備え、
前記指標像が、対物レンズを介して結像される眼底像とほぼ一致するように、第１のレンズを移動させ、該第１のレンズの移動に連動して移動する第２のレンズを介して眼底像を撮像することを特徴とする。
【００１２】
また、本発明は、前記指標と前記撮像面が第１と第２のレンズに関して共役な関係となるように、前記指標と前記撮像面を連動して移動させる移動機構と、を備え、
前記指標像が、対物レンズを介して結像される眼底像とほぼ一致するように、指標を移動させ、該指標の移動に連動して撮像面を移動し、眼底像を撮像することを特徴とする。
【発明の効果】
【００１３】
このような構成では、指標像を形成する第１のレンズと、眼底像を撮像装置の撮像面に結像させる第２のレンズは、指標と撮像面が常に共役な関係となるように、連動して移動される。指標像が、対物レンズを介して結像される眼底像とほぼ一致するように、第１のレンズを移動させてピント合わせが行われ、この第１のレンズの移動に連動して移動する第２のレンズを介して眼底像が撮像される。したがって、検者は、眼底像と投影指標を観察して、撮像装置に撮像される眼底像のピント合わせを行うことができ、別に設けた画像表示部に映し出された眼底像を見てピント合わせを行う必要がないので、ピント合わせが容易になり良好な眼底画像を取得することができる。
【００１４】
また別の構成として、指標と撮像面が第１と第２のレンズに関して共役な関係となるように、指標と撮像面を連動して移動させ、検者は、指標像が、対物レンズを介して結像される眼底像とほぼ一致するように、指標を移動させ、この指標の移動に連動して移動する撮像面で眼底像を撮像するようにしているので、上記と同様な効果を得ることができる。
【００１５】
また、本発明では、接眼レンズを使用することなく眼底像、指標像を観察できるので、接眼レンズの視度補正調整機構が不要になる、という効果が得られる。
【図面の簡単な説明】
【００１６】
【図１】本発明の眼科装置の実施例を説明する構成図である。
【図２】本発明の眼科装置に内蔵される光学系を示した光学図である。
【図３】（ａ）は眼底像が撮像されるときの光線経路を示した光学図、（ｂ）は指標像が投影されるときの光線経路を示した光学図である。
【図４】（ａ）は、撮影される眼底像のピントが合ってないときの指標像を示した説明図、（ｂ）はピントの合っているときの指標像を示した説明図である。
【図５】２つのレンズを連動して移動させる移動機構を示した説明図である。
【発明を実施するための形態】
【００１７】
以下に、本発明の実施例を、図面を参照して詳細に説明する。
【実施例】
【００１８】
図１には、眼底像を観察、撮影する本発明の眼科装置１０の実施例が示されている。眼科装置１０は、眼底観察を行う検者２が片手３（図例では右手）で把持可能な形態を有し、内部には眼底像を撮像する撮像装置１４（ＣＣＤカメラ）が内蔵されている。また、眼科装置１０内部には、後述する観察撮影光学系、指標、指標を照明する光源など（図１には不図示）が内蔵されている。
【００１９】
眼科装置１０には、検者２が片手３で把持したまま操作（例えば、親指による摺動操作）が可能なシャッタースイッチ１０ａと合焦操作が可能なフォーカスノブ１０ｂとが配置されている。被検眼１に対向する面には、例えば発光ダイオード等で構成された眼底照明光源５が、また検者２側の面にはファインダ６が配置されている。
【００２０】
また、眼科装置１０とは、別体の対物レンズ４（前置レンズあるいは倒像鏡レンズとも呼ばれる）を内蔵した倒像鏡７が用意される。検者２は、被検眼１の眼底観察時には、この倒像鏡７を他方の手（片手３が右手の場合は左手）で把持して対物レンズ４の光軸４ａが被検眼１の眼軸とほぼ一致するように被検眼１の前方部に配置する。検者２は、眼科装置１０を、対物レンズ４の光軸４ａに対してほぼ直交する方向に保持し、ファインダ６を光軸４ａに一致させて眼底像を観察する。
【００２１】
眼科装置１０には、被検眼眼底を照明する眼底照明光源５が光軸４ａの上側に位置するにように取り付けられており、下側は、眼底照明光源５の照明光が観察光学系と干渉しない（入り込まない）よう、コ字状の断面形状を有している。
【００２２】
眼底照明光源５によって照明された被検眼１の眼底は、対物レンズ４によって空中に倒立像として結像され、検者２は、この倒立した眼底像をファインダ６を介して観察する。
【００２３】
眼科装置１０は、電源ケーブル２１ａ並びに信号線２１ｂを介して電源を内蔵したコンピュータなどで構成される制御部２２と接続されており、電源ケーブル２１ａを介して眼底照明光源５と撮像装置１４、その他、後述する指標照明光源などに給電が行われる。また、撮像装置１４からの映像信号、並びにシャッタースイッチ１０ａからのシャッター信号が信号線２１ｂを介して制御部２２に入力される。
【００２４】
制御部２２の筐体には、電源スイッチ２２ａが設けられ、制御部２２と接続された画像表示部２３には、撮像装置１４により取得された眼底像１ｃが表示される。
【００２５】
図２には、眼科装置１０内に収納される光学系、撮像装置などの構成が図示されている。眼科装置１０内には、透明な指標板１１、指標板１１を照明する指標照明光源１６、第１のレンズ１２、平行になった第１と第２の反射面１５ａ、１５ｂを有する平板状のハーフミラー１５、第２のレンズ１３、それに撮像装置１４が、それぞれの中心を装置の垂直方向に延びる光軸１０ｃに一致するようにして収納されている。
【００２６】
対物レンズ４で結像された被検眼１の眼底像を観察、撮影するときは、図２に示したように、対物レンズ４の光軸４ａと装置１０の光軸１０ｃが、ほぼ直交するように眼科装置１０が配置され、検者２は、光軸１０ｃに対して約４５度の角度で傾斜して配置されたハーフミラー１５の中心が光軸４ａに一致するようにして被検眼眼底を観察する。
【００２７】
指標板１１の下面１１ａの中央には、ピント合わせのための十字指標（チャート）１７が形成されている。指標板１１は、その指標１７が第１のレンズ１２の焦点の内側に位置するように配置され、指標照明光源１６により指標板１７が照明されると、第１のレンズ１２により指標１７の虚像が形成され、その虚像がハーフミラー１５の第１の反射面１５ａを介して検者２により観察できるようになっている。
【００２８】
また、対物レンズ４で結像された眼底像は、ハーフミラー１５の第２の反射面１５ｂで反射されて第２のレンズ１３に導かれ、第２のレンズ１３は、対物レンズ４で結像された眼底像を撮像装置１４の撮像面１４ａに再結像する。
【００２９】
第１のレンズ１２と第２のレンズ１３の焦点距離は、本実施例の場合、同じに設定されており、第１のレンズ１２は、フォーカスノブ１０ｂ（第１図）を操作することにより光軸１０ｃに沿って移動可能となっている。フォーカスノブ１０ｂを操作して、第１のレンズ１２を移動させると、検者２は指標１７の指標像が光軸４ａに沿って移動するのを観察する。また、第２のレンズ１３は、第１のレンズ１２に連動して光軸１０ｃに沿って移動するように構成されている。このとき、指標板１１の下面１１ａ（つまり、指標１７が形成される面）と撮像装置１４の撮像面１４ａとは、第１と第２のレンズ１２、１３からなる光学系に関して共役な関係となっており、この共役関係は、第１と第２のレンズ１２、１３の移動にかかわらず保持されている。従って、フォーカスノブ１０ｂを操作して第１と第２のレンズを移動させても、指標板１１の指標１７は、常に撮像装置１４の撮像面１４ａと共役になっている。
【００３０】
このように第１と第２のレンズ１２、１３を連動して移動させ、上記共役な関係を保持させる移動機構が、図５に図示されている。第１のレンズ１２は鏡筒１２ａに保持されており、第２のレンズ１３は鏡筒１３ａに保持されている。鏡筒１２ａ、１３ａはガイド筒３０に沿って移動可能となっており、それぞれ鏡筒の一部には、簡略して一点鎖線で示したラック１２ｂ、１３ｂが形成されている。ガイド筒３０のこのラック１２ｂ、１３ｂに対向する部分は切り欠かれており、ラック１２ｂはギア３１と、ラック１３ｂはギア３４とそれぞれ噛み合うようになっている。ギア３１の回転は、ギア３２を介してギア３４に伝達される。ギア３１とギア３４は、同じギア、つまり同一径で歯数は同じになっている。
【００３１】
フォーカスノブ１０ｂを操作すると、ギア３１が、例えば図５で矢印で示した方向に回転し、ギア３１とラック１２ｂが噛み合うことから第１のレンズ１２は、矢印で示したように図５で光軸１０ｃにそって下方に移動する。また、ギア３１の回転はギア３２を介してギア３４に伝達されるので、ギア３４は矢印の方向に回転し、ギア３４と噛み合うラック１３ｂが形成された鏡筒１３ａ、つまり第２のレンズ１３は、矢印で示したように、光軸１０ｃに沿って同軸で下方に第１のレンズ１２と同距離移動する。同様に、フォーカスノブ１０ｂを逆方向に操作すると、第１と第２のレンズ１２、１３はそれぞれ同一方向（図５で矢印に示した方向とは逆方向、つまり上方向）に同距離移動する。
【００３２】
このように、第１のレンズ１２の移動に連動して第２のレンズ１３は同一方向に同じ距離移動するので、第１と第２のレンズの焦点距離が同じである場合、指標１７と撮像面１４ａは、第１と第２のレンズ１２、１３が連動して移動しても、共役な関係を保持することができる。第１と第２のレンズの焦点距離が相違する場合は、それぞれ指標１７と撮像面１４ａが共役な関係を保つように、第１と第２のレンズの移動量を計算し、それに応じてギア３１〜３４のギア比を設定するようにする。
【００３３】
なお、第１と第２のレンズ１２、１３は単体のレンズとして図示されているが、複数のレンズ群から構成してもよい。従って、第１のレンズ１２は、単体のレンズあるいは複数のレンズから構成され、また第２のレンズ１３も単体あるいは複数のレンズで構成されるものとする。
【００３４】
このように構成された眼科装置１０で、被検眼眼底を観察、撮影する場合は、電源スイッチ２２ａをオンにして眼底照明光源５を点灯するとともに、撮像装置１４を起動する。図１に示したように、検者２は、対物レンズ４を内蔵した倒像鏡７を片手で把持して対物レンズ４の光軸４ａが被検眼１の眼軸とほぼ一致するように被検眼１の前方部に配置する。また、検者２は、他方の片手３で眼科装置１０を把持し、その光軸１０ｃが対物レンズ４の光軸４ａに対してほぼ直交するように、またファインダ６が光軸４ａに一致するように、眼科装置１０の位置及び傾きを調整する。
【００３５】
図３（ａ）に示したように、眼底照明光源５からの光束が対物レンズ４を介して被検眼１の眼底１ａを照明する。光源５で照明された眼底１ａは、対物レンズ４により空中に倒立した眼底像１ｂとして結像される。上述したように、対物レンズ４の光軸４ａが被検眼１の眼軸とほぼ一致するようにし、両光軸４ａと１０ｃをほぼ直交させ、ファインダ６が光軸４ａに一致するように、被検眼１、対物レンズ４、眼科装置１０の位置合わせ（アライメント）を行うと、検者２は、図４に示したように、倒像鏡７の筐体７ａ内に倒立した空中眼底像１ｂをハーフミラー１５を通して観察することができる。
【００３６】
この状態で、眼底像１ｂはハーフミラー１５の第２の反射面１５ｂで反射され、第２のレンズ１３により撮像装置１４の撮像面１４ａに結像される。しかし、撮像面１４ａに結像される眼底像１ｃは、眼科装置１０の位置によってその合焦状態が変化するので、必ずしもピントの合った像とはなっていない。
【００３７】
そこで、図３（ｂ）に示したように、指標照明光源１６を点灯し、指標１７を照明して第１のレンズ１２により結像させる。指標１７は指標像１７ａとなって虚像として検者２により観察することができる。フォーカスノブ１０ｂを操作すると、第１のレンズ１２は光軸１０ｃに沿って移動し、それに応じて指標像１７ａも光軸４ａに沿って移動するので、指標像１７ａが、眼底像１ｂと一致するように、フォーカスノブ１０ｂを調節する。このフォーカスノブ１０ｂの調節より第２のレンズ１３も第１のレンズ１２に連動して光軸１０ｃに沿って移動する。
【００３８】
フォーカスノブ１０ｂを操作したとき、指標像１７ａが検者側からどのように観察されるかが、図４（ａ）、（ｂ）に図示されている。指標像１７ａが眼底像１ｂと一致していない場合は、図４（ａ）に示したように、指標像１７ａは、点線で示したようにぼやけて観察される。第１のレンズ１２を前後に移動させると、図４（ｂ）で実線で示したように、指標像１７ａが鮮明に観察できるようになる。指標像１７ａは、形成される位置に従って像倍率が異なるので、図４（ａ）、（ｂ）で図示した指標像１７ａの大きさは異なるものになっている。
【００３９】
指標像１７ａが、図４（ｂ）に示したように、鮮明になって眼底像１ｂと一致するのが確認されると、指標像１７ａと指標板１１の指標１７は共役の関係にあり、また、指標１７と撮像装置１４の撮像面１４ａも、第１と第２のレンズ１２、１３が移動しても常に共役の関係にある。したがって、眼底像１ｂと指標像１７ａが一致したことは、眼底像１ｂと指標１７が共役になった、つまり眼底像１ｂと撮像面１４ａが共役になったことを意味するから、撮像面１４ａにはピントの合った眼底像１ｃが形成される。
【００４０】
このように、位置合わせとピント合わせが完了したら、指標照明光源１６を消灯するとともに、シャッタースイッチ１０ａを操作して撮像面１４ａに結像された眼底像１ｃを撮像する。撮像された眼底像１ｃは、信号線２１ｂを介して制御部２２に取り込まれ、所定の画像表示処理が施された後に、画像表示部２３に表示される。
【００４１】
上述したように、検者は、眼底像と投影指標像を観察して、この２つの像の中心が互いに重なるように、眼科装置の位置及び傾きを調整して位置合わせをし、更に、光軸４ａ方向の眼底像１ｂと投影指標像１７ａの２つの空中像が一致するように第１のレンズを移動調整すると、撮像装置に撮像される眼底像の位置合わせとピント合わせを行うことができる。従って、別に設けた画像表示部に映し出された眼底像を見て位置合わせとピント合わせを行う必要がないので、位置合わせとピント合わせが容易になり、検者の負担が軽減されるとともに、ピントの合った良好な眼底画像を取得することができる。
【００４２】
また、本発明では、接眼レンズを使用することなくハーフミラー１５を介して眼底像、指標を観察できるので、接眼レンズの視度補正調整機構が不要になる。
【００４３】
なお、指標照明光源１６の点灯、消灯は、シャッタースイッチ１０ａの下部に専用のスイッチを設けて行うようにしてもよいし、フォーカスノブ１０ｂの操作に連動して指標照明光源１６を点灯させ、シャッタースイッチ１０ａの操作に応じて消灯させるようにしてもよい。このとき、指標が誤って撮影されることを防止するために、指標照明光源１６が消灯してから撮像が行われるようにする。
【００４４】
また、ハーフミラー１５を着脱自在な構成とし、このハーフミラー１５の光軸１０ｃへの挿入に連動して、指標照明光源１６を点灯させ、かつ／又は撮像装置１４の起動（給電）を行うように構成してもよい。このとき、指標照明光源１６の消灯はシャッタースイッチ１０ａの操作に応じて行うようにする。
また、上述したように、指標１７と撮像面１４ａが第１と第２のレンズ１２、１３に関して共役な関係となるように、第１と第２のレンズを連動して移動させるのではなく、指標１７と撮像面１４ａが第１と第２のレンズ１２、１３に関して同軸で共役な関係となるように、指標１７と撮像面１４ａを連動して移動させるようにしてもよい。このような構成でも、検者が、指標像と対物レンズを介して結像される眼底像がほぼ一致するように、指標１７を移動させると、この指標の移動に連動して共役関係を維持しながら撮像面１４ａも移動する。この撮像面１４ａは、指標１７（眼底像と共役になっている）と共役になっていることから、鮮明な眼底像を撮像装置１４により撮像でき、同様な効果を得ることができる。
【００４５】
上述したような指標と撮像面の連動関係は、図５に示したようなギア３１、３２、３４からなるギア機構を設け、指標板１１を保持する筐体に形成されたラックにギア３１を噛み合わせ、また撮像装置１４を保持する筐体に形成されたラックにギア３４を噛み合わせることによって実現できる。ギア３１、３２、３４の回転をフォーカスノブ１ｂの操作に応じて行うようにすれば、上記のピント合わせを行うことができる。
【符号の説明】
【００４６】
４  対物レンズ
５  眼底照明光源
１０  眼科装置
１０ａ  シャッタースイッチ
１０ｂ  フォーカスノブ
１１  指標板
１２  第１のレンズ
１３  第２のレンズ
１４  撮影装置（ＣＣＤカメラ）
１４ａ  撮像面
１５  ハーフミラー
１６  指標照明光源
１７  指標
【図１】
2010220654.tif 000003
【図２】
2010220654.tif 000004
【図３】
2010220654.tif 000005
【図４】
2010220654.tif 000006
【図５】
2010220654.tif 000007